(57)【要約】    【課題】  雨水によって濡れることがなく、しかも蚊取り線香の火を簡単に消すことができるようにした蚊遣り器を提供する。    【解決手段】  少なくとも上部の内外形が横断面円形状に形成され、該上部の側壁面に１又は複数の蚊遣り煙の放出穴が形成された基台１１と、内側に係止受け片１２Ｃが設けられ、内底部に渦巻き型蚊取り線香１４が載置又は支持される一方、外周縁に縦壁面を有し、縦壁面に１又は複数の殺虫成分の放散穴１２Ｂが形成され、基台に回転可能に内嵌され、その回転によって１又は複数の殺虫成分の放散穴が基台の１又は複数の殺虫成分の放散穴１１Ｂと合致され得る円筒受け皿１２と、内側に係止フック１３Ｃが設けられ、基台に回転可能にかつ円筒受け皿との間の空間を密閉可能に外嵌され、その回転によって係止フック１３Ｃが円筒受け皿の係止受け片と係合されて円筒受け皿を回転させることのできる上蓋１３と、を備える。【選択図】  図１
2015100305.tif 000002
【特許請求の範囲】
【請求項１】
少なくとも上部の内外形が横断面円形状に形成され、該上部の側壁面に１又は複数の蚊遣り煙の放出穴が形成された基台（１１）と、
内側に係止受け片（１２Ｃ）が設けられ、内底部に渦巻き型蚊取り線香（１４）が載置又は支持される一方、外周縁に縦壁面を有し、該縦壁面に１又は複数の殺虫成分の放散穴（１２Ｂ）が形成され、上記基台（１１）に回転可能に内嵌され、その回転によって上記１又は複数の殺虫成分の放散穴（１２Ｂ）が上記基台（１１）の１又は複数の殺虫成分の放散穴（１１Ｂ）と合致され得る円筒受け皿（１２）と、
内側に係止フック（１３Ｃ）が設けられ、上記基台（１１）に回転可能にかつ上記円筒受け皿（１２）との間の空間を密閉可能に外嵌され、その回転によって上記係止フック（１３Ｃ）が上記円筒受け皿（１２）の係止受け片（１２Ｃ）と係合されて上記円筒受け皿（１２）を回転させることのできる上蓋（１３）と、
を備えたことを特徴とする蚊遣り器。
【請求項２】
上記基台（１１）が有底円筒形状に製作され、上記円筒受け皿（１２）が有底短尺円筒状に製作され、上記上蓋（１３）が有縁円形皿状に製作されている請求項１記載の蚊遣り器。
【請求項３】
上記基台（１１）及び円筒受け皿（１２）の放散穴（１１Ｂ、１２Ｂ）が相互に同一の大きさの円形状、縦長形状又は角形状に形成されている請求項１記載の蚊遣り器。
【発明の詳細な説明】
【技術分野】
【０００１】
本発明は蚊遣り器に関し、特に雨水によって濡れることがなく、しかも蚊取り線香の火を簡単に消すことができるようにした蚊遣り器に関する。
【背景技術】
【０００２】
蚊取り線香は線香に除虫菊の有効成分であるピレトリンや類似のピレスロイド系成分を練り込んだ渦巻き型の殺虫剤であり、蚊取り線香を使用する場合には蚊取り線香の先端に着火して炎を吹き消し、不完全燃焼の状態で殺虫成分（ピレスロイド）を発生させ、蚊遣り器にセットして不完全燃焼の状態を保持することが行われる。
【０００３】
従来の蚊遣り器では、円形受け皿内のガラス繊維製マットや金属製の線香支持部材の上に、蚊取り線香をセットする構造が採用されているが、円形受け皿には殺虫成分の放散穴を有する上蓋が嵌められる（特許文献１、特許文献２、特許文献３）。しかし、この構造の蚊遣り器では降雨時には受け皿内に雨水が侵入して蚊取り線香に雨水がかかり、蚊取り線香の火が消えてしまうおそれがある。
【０００４】
これに対し、上蓋の中央に煙突を設け、煙突の上端に傘を取付け、煙突の上端口から殺虫成分を放散させるようにした蚊遣り器が提案されている（特許文献４）。この構造の蚊遣り器では降雨時にも雨水が受け皿内に侵入することはないという利点を有する。
【先行技術文献】
【特許文献】
【０００５】
【特許文献１】特開２００６−７５０６２号公報
【特許文献２】特開２００２−２７２３４６号公報
【特許文献３】登録実用新案第３００９７４９号公報
【特許文献４】特開２００７−２９５９０１号公報
【発明の開示】
【発明が解決しようとする課題】
【０００６】
ところで、最近の蚊取り線香の燃焼時間は約７時間程度、動物用のもので約１２時間程度と非常に長くなっているが、使用の途中に蚊取り線香の火を消したいこともしばしばある。
【０００７】
しかし、特許文献４記載の蚊遣り器では蚊取り線香の火を消す場合には一旦上蓋をあけて、蚊取り線香の先端近傍を人の手で折るという手間が必要であり、しかも火のついた線香の小片を処理しなければならず、非常に煩わしかった。
【０００８】
本発明はかかる問題点に鑑み、雨水によって濡れることがなく、しかも蚊取り線香の火を簡単に消すことができるようにした蚊遣り器を提供することを課題とする。
【課題を解決するための手段】
【０００９】
そこで、本発明に係る蚊遣り器は、少なくとも上部の内外形が横断面円形状に形成され、該上部の側壁面に１又は複数の殺虫成分の放散穴が形成された基台と、内側に係止受け片が設けられ、内底部に渦巻き型蚊取り線香が載置又は支持される一方、外周縁に縦壁面を有し、該縦壁面に１又は複数の殺虫成分の放散穴が形成され、上記基台に回転可能に内嵌され、その回転によって上記１又は複数の蚊遣り煙の放散穴が上記基台の１又は複数の殺虫成分の放散穴と合致され得る円筒受け皿と、内側に係止フックが設けられ、上記基台に回転可能にかつ上記円筒受け皿との間の空間を密閉可能に外嵌され、その回転によって上記係止フックが上記円筒受け皿の係止受け片と係合されて上記円筒受け皿を回転させることのできる上蓋と、を備えたことを特徴とする。
【００１０】
本発明の特徴の１つは蚊遣り器を基台、円筒受け皿及び上蓋によって構成し、基台及び円筒受け皿の側面に殺虫成分の放散穴を形成し、両者の放散穴を合致させて殺虫成分を周囲に放散させるようにした点にある。
【００１１】
これにより、屋外で使用しても蚊取り線香の火が近くのものが燃え移るおそれがなく、又ペットなどの動物が蚊遣り器内の蚊取り線香に鼻を近づけて火傷をすることもなく、安全性を確保できる。
【００１２】
本発明の第２の特徴は上蓋に係止フックを設け、円筒受け皿に係止受け片を設け、上蓋を回転させて係止フックと係止受け片とを係合させ、円筒受け皿を回転させて円筒受け皿の放散穴を基台の放散穴に対して位置ずれさせ、基台の側壁面によって閉鎖するようにした点にある。
【００１３】
これによって、上蓋を回転させて円筒受け皿の放散穴を閉鎖すると、上蓋と円筒受け皿の間の空間を実質的に密閉して外気の供給を停止させ、上蓋と円筒受け皿の間の空間内の酸素が消費されて少なくなるので、蚊取り線香の火を確実に消すことができ、特許文献４記載の蚊遣り器のように手で蚊取り線香の先端を折る必要がなく、又火のついた線香の小片を処理する必要もない。
【００１４】
放散穴は横長形状としてもよいが、その場合には放散穴の開閉に上蓋を大きく回転させる必要がある。そこで、基台及び円筒受け皿の放散穴は相互に同一の大きさの縦長形状、円形状又は角形状とするのがよく、上蓋を少し回転させることによって放散穴を開閉することができる。
【００１５】
円筒受け皿の上縁には小さな張出しフランジを形成し、基台の上縁に係止させるようにしてもよいが、円筒受け皿と蓋の間の空間の密閉性を向上させる上で、円筒受け皿の上縁を断面円形状に折り曲げ、この折り曲げ部分を基台の上縁に搭載させると、上蓋内面との接触面積が大きくなり、密閉性を向上させることができる。
【００１６】
係止受け片は円筒受け皿の内側であればどこに設けてもよいが、係止フックとの係合しやすさを考慮すると、円筒受け皿の縦壁面に設けるのがよい。また、係止フックは蓋の内側であればどこに設けてもよいが、係止受け片を円筒受け皿の縦壁面に設ける場合には蓋の内上面に設けるのがよい。
【００１７】
円筒受け皿の内底部は渦巻き型蚊取り線香を載置し又は支持できればよく、例えばガラス繊維製のマットを敷くようにしてもよく、又金属成型品の線香支持部材を設けるようにしてもよい。
【００１８】
基台は少なくとも上部の内外形が横断面円形状であればよく、例えば下記の実施形態に示されるように有底円筒状とすることができ、その場合には基台内を蚊取り線香の保管スペースとすることができる。
【００１９】
この場合、上蓋の係止フックと受け皿の係止受け片とを係止させ、上蓋を持ち上げると、受け皿を持ち上げることができ、これによって基台内の蚊取り線香を取り出すことができる。
【００２０】
上蓋は基台に回転可能にかつ密閉可能に外嵌できる形状であればよく、例えば下記の実施形態に示されるような有縁円形皿状を採用することができる。
【００２１】
また、蓋を外したときに置いておく場所が定まってないと、蓋を見失うおそれがある。そこで、蓋の上内面に円筒受け皿の上縁に引っ掛けることのできるフックを設けるのがよい。
【図面の簡単な説明】
【００２２】
【図１】本発明に係る蚊遣り器の好ましい実施形態を示す分解斜視図である。
【図２】上記実施形態において上蓋を外して円筒受け皿の上縁に引っ掛けた状態を示す斜視図である。
【図３】上記実施形態における上蓋を示す斜視図である。
【図４】上記実施形態において上蓋を被せた状態を示す斜視図である。
【発明を実施するための形態】
【００２３】
以下、本発明を具体例に基づいて詳細に説明する。図１ないし図４は本発明に係る蚊遣り器の好ましい実施形態を示す。図において、蚊遣り器１０は基台１１、受け皿１２及び上蓋１３から構成されている。
【００２４】
基台１１は亜鉛めっき鋼板やすずめっき鋼板などの金属板を用いて有底円筒状に製作され、内部は渦巻き型の蚊取り線香１４の保管スペースとなっている。また、基台１１の上縁は断面円形状に折り曲げられ、又上部側壁面には直径１．５〜２ｃｍ程度の６つの殺虫成分の放散穴１１Ｂが６０°の等角度間隔で形成されるとともに、コ字状の取っ手１１Ａの両端部がブラケットによって回転自在に取付けられている。
【００２５】
受け皿１２は亜鉛めっき鋼板やすずめっき鋼板などの金属板を用いて、基台１１に回転可能に内嵌される大きさの短尺円筒状に製作され、受け皿１２の外周縁には縦壁面が一体的に形成されており、この縦壁面の上端縁は断面円弧状に折り曲げられ、基台１１の上縁に搭載されるようになっている。
【００２６】
また、受け皿１２の縦壁面には直径１．５〜２ｃｍ程度の基台１１の放散穴１１Ｂと同一の大きさの６つの殺虫成分の放散穴１２Ｂが６０°の等角度間隔で形成され、放散穴１２Ｂの外周縁は断面円形状に折り曲げられている。なお、基台１１の放散穴１１Ｂの内縁は内方に少し突出され、受け皿１２の側壁外面に摺接されて受け皿１２と上蓋１３との間の空間の密閉性を高めるようになっている。
【００２７】
受け皿１２の縦壁内面には係止受け片１２Ｃが内方に突出してカシメなどによって取付けられ、受け皿１２の内底部にはガラス繊維製のマット１２Ａが敷設され、渦巻き型蚊取り線香１４が載置されるようになっている。
【００２８】
上蓋１３は亜鉛めっき鋼板やすずめっき鋼板などの金属板を用い、基台１１の上縁に回転可能にかつ受け皿１２と上蓋１３との間の空間を実質的に密閉可能に外嵌され得る大きさの有縁円形皿状に製作され、蓋１３の外面中央には球状をなす摘まみ１３Ａがビス等によって取付けられている。
【００２９】
また、上蓋１３の上内面には金属帯板１３Ｂが径方向に延びてビス等によって固定され、金属帯板１３Ｂの両端部はほぼ９０°に折り曲げられ、折り曲げ部分には係止フック１３Ｃが横方向コ字状に形成され、又金属帯板１３Ｂの中央より側方部分にはフック１３Ｄが切り起こし形成されている。
【００３０】
蚊遣りを行う場合、上蓋１３及び受け皿１２を外して基台１１内から蚊取り線香１４を取り出し、その先端にマッチなどによって着火し、火がつくとその火を吹き消して不完全燃焼の状態とすると、殺虫成分である無色のピレスロイドが揮発によって発生する。
【００３１】
こうして準備ができると、基台１１に受け皿１２を内嵌し、この受け皿１２の内底部マット１２Ａの上に蚊取り線香１４を乗せ、上蓋１３を基台１１に外嵌させ、上蓋１３の摘まみ１３Ａを指で持って上蓋１３を回転させると、蓋１３の係止フック１３Ｃが受け皿１２の係止受け片１２Ｃに引っ掛かって両者が係止されるので、上蓋１３をさらに回転させることによって受け皿１２の放散穴１２Ｂを基台１１の放散穴１１Ｂに一致させることができ、蚊取り線香１４からの殺虫成分を６つの放散穴１１Ｂ、１２Ｂから周囲に放散させることができる。
【００３２】
上述の作業を行う場合、図２に示されるように、上蓋１３を紛失しないように上蓋１３のフック１３Ｄを基台１１及び受け皿１２の上縁に引っ掛けておくことができる。
【００３３】
蚊取り線香１４の火を消したい場合、摘まみ１３Ａを持って上蓋１３をさらに回転させると、受け皿１２も回転し、受け皿１２の放散穴１２Ｂが基台１１の放散穴１１Ｂに対して位置ずれし、受け皿１２の放散穴１２Ｂが基台１１の側壁面によって閉鎖され、受け皿１２と上蓋１３との間の空間が密閉されて外気から遮断され、外気の供給が停止されるので、空間内の空気が少なくなると、蚊取り線香１４の火も消える。
【００３４】
また、上蓋１３を基台１１に外嵌させ、上蓋１３の摘まみ１３Ａを指で持って上蓋１３を回転させると、蓋１３の係止フック１３Ｃが受け皿１２の係止受け片１２Ｃに引っ掛かって両者が係止されるので、摘まみ１３Ａを引き上げると、上蓋１３とともに受け皿１２を持ち上げることができ、これによって基台１１内の蚊取り線香１４を簡単に取り出すことができる。
【００３５】
こうして上蓋１３を回転させるという簡単な作業によって蚊取り線香１４を基台１１から取り出し、あるいは蚊取り線香１４の火を消すことができ、手で蚊取り線香の先端を折ったり、火のついた線香の小片を処理するなどの煩わしさもない。
【００３６】
また、放散穴１１Ｂ、１２Ｂを基台１１及び受け皿１２の側壁面に形成しているので、通常の降雨では雨水が受け皿１２内に侵入することはなく、激しい降雨時には放散穴１２Ｂを閉鎖しておけば、雨水が受け皿１２内に侵入することはない。
【００３７】
さらに、放散穴１１Ｂ、１２Ｂは直径１．５〜２ｃｍ程度とそれほど大きな穴ではないので、ペットなどの動物が放散穴１１Ｂ、１２Ｂに鼻を突っ込むようなことはなく、動物に対する安全性も高い。
【００３８】
なお、上記の例では放散穴は、直径１．５〜２ｃｍ程度の円形状としたが、横幅１．５〜２ｃｍ程度の縦長形状としてもよく、大きさ１．５〜２ｃｍ程度の多角形状としてもよい。また、放散穴の数は６としたが、１又は複数であればよい。
【００３９】
また、基台は有底円筒状としたが、上部が円筒状、その下側が多角形状やフレーム状であってもよい。なお、製造工程を考慮すると、有底円筒状が好ましい。
【符号の説明】
【００４０】
１０      蚊遣り器
１１      基台
１１Ｂ      放散穴
１２      受け皿
１２Ｂ      放散穴
１２Ｃ      係止受け片
１３      上蓋
１３Ｃ      係止フック
１３Ｄ      フック
【図１】
2015100305.tif 000003
【図２】
2015100305.tif 000004
【図３】
2015100305.tif 000005
【図４】
2015100305.tif 000006